(57)【要約】【課題】屋根軒先に取り付けられた断面略角形の雨樋に対して簡単に後付することができる雨樋保護構造を提供すること。【解決手段】雨樋１の上部開口部１Ａに取り付けられる取付具Ｔと、この取付具Ｔに固定されて雨樋１の上部開口部１Ａを覆うように設けられる通水構造２を備えた保護体Ｈとから成り、前記取付具Ｔは、前記保護体Ｈを締付固定する締付手段３を設けると共に、この取付具Ｔを雨樋１の上部開口部１Ａに取付固定した際に，少なくともこの締付手段３が雨樋１内に配設される雨樋受具４よりも上方側へ配設する構成とし、この雨樋受具４よりも上方に配設する締付手段３を介して保護体Ｈを取付具Ｔに締付固定すると、雨樋受具４に干渉しない雨樋１の上部開口部１Ａ位置にこの保護体Ｈが固定されるように構成した雨樋保護具。【選択図】　　　　図１
2004107915.tif 000002
【特許請求の範囲】
【請求項１】
家屋の屋根軒先に設けられた断面略角形状の雨樋の上部開口部に設けられ、この雨樋を積雪や落ち葉などから保護する雨樋保護具であって、雨樋の上部開口部に取り付けられる取付具と、この取付具に固定されて雨樋の上部開口部を覆うように設けられる通水構造を備えた保護体とから成り、前記取付具は、前記保護体を締付固定する締付手段を設けると共に、この取付具を雨樋の上部開口部に取付固定した際に，少なくともこの締付手段が雨樋内に配設される雨樋受具よりも上方側へ配設する構成とし、この雨樋受具よりも上方に配設する締付手段を介して保護体を取付具に締付固定すると、雨樋受具に干渉しない雨樋の上部開口部位置にこの保護体が固定されるように構成したことを特徴とする雨樋保護具。
【請求項２】
前記取付具に前記保護体を載置し得る平坦部を設け、取付具を前記雨樋の上部開口部に取付固定した際に少なくともこの平坦部が雨樋内に配設される雨樋受具よりも上方側へ配設する構成とし、この平坦部に前記締付手段を設け、この平坦部に前記保護体を載置して締付手段により締付固定すると、雨樋受具に干渉しない雨樋の上部開口部位置にこの保護体が固定されるように構成したことを特徴とする請求項１記載の雨樋保護具。
【請求項３】
前記保護体は、前記雨樋の上部開口部を閉塞し得る天板部の一側縁部に垂下片部を連設して略断面Ｌ字形に構成し、前記取付具は、前記保護体の天板部を載置し得る平坦部を設けると共に、この平坦部に前記垂下片部を沿設する垂下部を連設した構成としたことを特徴とする請求項１，２のいずれか１項に記載の雨樋保護具。
【請求項４】
前記取付具の一端部に雨樋の一側端部に掛止する掛止部を設けると共に、他端部に雨樋の他側端部に嵌合係止する嵌合部を設け、この掛止部を雨樋の一側端部に掛止してから前記嵌合部を雨樋の他側端部に圧着することで、取付具が雨樋の上部開口部に架設状態で取り付けられるように構成したことを特徴とする請求項１〜３のいずれか１項に記載の雨樋保護具。
【請求項５】
前記取付具は、前記雨樋の上部開口部に取り付けた際に雨樋の長さ方向にスライド移動し得るように構成したことを特徴とする請求項１〜４のいずれか１項に記載の雨樋保護具。
【請求項６】
前記締付手段は螺着締付手段を採用し、前記保護体を前記取付具に螺着締付固定する構成としたことを特徴とする請求項１〜５のいずれか１項に記載の雨樋保護具。
【請求項７】
前記保護体に通水穴が多数散在する前記通水構造を設け、この通水穴を介して前記螺着締付手段で保護体を前記取付具に螺着締付固定する構成としたことを特徴とする請求項６記載の雨樋保護具。
【発明の詳細な説明】
【０００１】
【発明の属する技術分野】
本発明は、例えば、屋根に積もった雪が軒先に滑り移動し雨樋内に入り込むことによって雨樋が破損したり、落ち葉などのゴミが溜まることによって雨樋が詰まったりすることを防止するための雨樋保護具に関するものである。
【０００２】
【従来の技術及び発明が解決しようとする課題】
家屋の屋根軒先に設けられる雨樋の上部開口部に取り付けて、この雨樋内に落ち葉などのゴミが溜まり詰まってしまうことを防止するための落ち葉避け網として実公平８−８１７３号（以下、従来例という。）が提案されている。
【０００３】
この従来例は、平坦に形成した平坦網部に、斜め外側上方向に向けて傾斜し且つ上方へ凸状となるように湾曲させた傾斜網部を連設し、この傾斜網部の上端部に、雨樋の一方側上端部に係止する係止部を設けた構成であり、この係止部を、雨樋の一方側上端部に設けた係合部に係合し、更に前記平坦網部の外方端部と雨樋の前記他方側上端部とを当接させて専用の網支持金具で固定することで、雨樋の上部開口部に設けられるものである。
【０００４】
ところで、この雨樋の軒先への取り付けは、専用の雨樋取付金具を用いて行うが、この雨樋取付金具は、雨樋の上部開口部に設けられた前記従来例の上方に配されて取り付けられる。即ち、雨樋を取り付ける雨樋取付金具によって従来例は上方から押え込まれるように設けられる構成であった。
【０００５】
してみると、この従来例の取付構造では、新築時に雨樋に対して設けることは造作ないが、既設の雨樋に対して後付けしようとした場合には、先ず一旦、雨樋取付金具から雨樋を全て取り外し、この取り外した雨樋に従来例を取り付けた後に再び雨樋取付金具に雨樋を固定し直さなければならず、この作業は非常に厄介であった。
【０００６】
即ち、この従来例は、既設の雨樋に対して簡単に後付できるものではなかった。
【０００７】
本発明は、この点、屋根軒先に取り付けられた断面略角形の雨樋に対して簡単に後付することもできる極めて実用性に秀れた画期的な雨樋保護構造を提供することを目的としている。
【０００８】
【課題を解決するための手段】
添付図面を参照して本発明の要旨を説明する。
【０００９】
家屋の屋根軒先に設けられた断面略角形状の雨樋１の上部開口部１Ａに設けられ、この雨樋１を積雪や落ち葉などから保護する雨樋保護具であって、雨樋１の上部開口部１Ａに取り付けられる取付具Ｔと、この取付具Ｔに固定されて雨樋１の上部開口部１Ａを覆うように設けられる通水構造２を備えた保護体Ｈとから成り、前記取付具Ｔは、前記保護体Ｈを締付固定する締付手段３を設けると共に、この取付具Ｔを雨樋１の上部開口部１Ａに取付固定した際に，少なくともこの締付手段３が雨樋１内に配設される雨樋受具４よりも上方側へ配設する構成とし、この雨樋受具４よりも上方に配設する締付手段３を介して保護体Ｈを取付具Ｔに締付固定すると、雨樋受具４に干渉しない雨樋１の上部開口部１Ａ位置にこの保護体Ｈが固定されるように構成したことを特徴とする雨樋保護具に係るものである。
【００１０】
また、前記取付具Ｔに前記保護体Ｈを載置し得る平坦部５を設け、取付具Ｔを前記雨樋１の上部開口部１Ａに取付固定した際に少なくともこの平坦部５が雨樋１内に配設される雨樋受具４よりも上方側へ配設する構成とし、この平坦部５に前記締付手段３を設け、この平坦部５に前記保護体Ｈを載置して締付手段３により締付固定すると、雨樋受具４に干渉しない雨樋１の上部開口部１Ａ位置にこの保護体Ｈが固定されるように構成したことを特徴とする請求項１記載の雨樋保護具に係るものである。
【００１１】
また、前記保護体Ｈは、前記雨樋１の上部開口部１Ａを閉塞し得る天板部７の一側縁部に垂下片部８を連設して略断面Ｌ字形に構成し、前記取付具Ｔは、前記保護体Ｈの天板部７を載置し得る平坦部５を設けると共に、この平坦部５に前記垂下片部８を沿設する垂下部６を連設した構成としたことを特徴とする請求項１，２のいずれか１項に記載の雨樋保護具に係るものである。
【００１２】
また、前記取付具Ｔの一端部に雨樋１の一側端部に掛止する掛止部９を設けると共に、他端部に雨樋１の他側端部に嵌合係止する嵌合部１０を設け、この掛止部９を雨樋１の一側端部に掛止してから前記嵌合部１０を雨樋１の他側端部に圧着することで、取付具Ｔが雨樋１の上部開口部１Ａに架設状態で取り付けられるように構成したことを特徴とする請求項１〜３のいずれか１項に記載の雨樋保護具に係るものである。
【００１３】
また、前記取付具Ｔは、前記雨樋１の上部開口部１Ａに取り付けた際に雨樋１の長さ方向にスライド移動し得るように構成したことを特徴とする請求項１〜４のいずれか１項に記載の雨樋保護具に係るものである。
【００１４】
また、前記締付手段３は螺着締付手段３を採用し、前記保護体Ｈを前記取付具Ｔに螺着締付固定する構成としたことを特徴とする請求項１〜５のいずれか１項に記載の雨樋保護具に係るものである。
【００１５】
また、前記保護体Ｈに通水穴２Ａが多数散在する前記通水構造２を設け、この通水穴２Ａを介して前記螺着締付手段３で保護体Ｈを前記取付具Ｔに螺着締付固定する構成としたことを特徴とする請求項６記載の雨樋保護具に係るものである。
【００１６】
【発明の実施の形態】
好適と考える本発明の実施の形態（発明をどのように実施するか）を、図面に基づいてその作用効果を示して簡単に説明する。
【００１７】
取付具Ｔを雨樋１の上部開口部１Ａに取付固定すると，少なくともこの締付手段３が雨樋１内に配設される雨樋受具４よりも上方側へ配設することになる。
【００１８】
次いで、締付手段３により保護体Ｈを取付具Ｔに締付固定すると、この締付手段３は雨樋受具４よりも上方に配設しているため、雨樋受具４に干渉しない雨樋１の上部開口部１Ａ位置にこの保護体Ｈが固定されることになる。
【００１９】
従って、単に、雨樋１に取付具Ｔを取り付けた上、この取付具Ｔに保護体Ｈを締付固定するだけの簡単な作業で雨樋１に対して本発明品を取り付けでき、しかも雨樋受具４と、取付具Ｔ及び保護体Ｈとから成る本発明品とは、相互に干渉することがないため無理なく取り付けできることとなり、これにより既に雨樋受具４によって屋根軒先に取り付けられている雨樋１に対しても、前記従来例のように一々雨樋受具から雨樋を取り外すような面倒をすることなく、本発明品を簡単に無理なく後付することが可能となる。
【００２０】
また、この際、保護体Ｈは、通水構造２を備えているために雨樋１の排水機能を損なうことなく、且つこの雨樋１の上部開口部１Ａを覆い閉塞しているために落ち葉などのゴミが雨樋３内に入ることを防止することになる。
【００２１】
また、自重により軒先に滑り移動してくる屋根上の積雪も保護体Ｈによって雨樋１内に落下することを阻止され、これにより雨樋１内の通気性が常に確保され、例えば通水穴２Ａのような通水構造２を介して保護体Ｈ上の積雪は、雨樋１内の空気と常に接触することとなるために溶け易い。よって、雨樋１上の積雪は溶け易くこの積雪の重みによるって雨樋１の破損が生じにくいこととなる。
【００２２】
また、例えば、前記取付具Ｔに前記保護体Ｈを載置し得る平坦部５を設け、取付具Ｔを前記雨樋１の上部開口部１Ａに取付固定した際に少なくともこの平坦部５が雨樋１内に配設される雨樋受具４よりも上方側へ配設する構成とし、この平坦部５に前記締付手段３を設け、この平坦部５に前記保護体Ｈを載置して締付手段３により締付固定すると、雨樋受具４に干渉しない雨樋１の上部開口部１Ａ位置にこの保護体Ｈが固定されるように構成すれば、取付具Ｔの平坦部５上に簡単に保護体Ｈを載置して締付手段４により締付固定することができるため、一層取付作業性が向上することになる。
【００２３】
また、例えば、前記保護体Ｈは、前記雨樋１の上部開口部１Ａを閉塞し得る天板部７の一側縁部に垂下片部８を連設して略断面Ｌ字形に構成し、前記取付具Ｔは、前記保護体Ｈの天板部７を載置し得る平坦部５を設けると共に、この平坦部５に前記垂下片部８を沿設する垂下部６を連設した構成とすれば、雨樋１に取り付けた取付具Ｔに対し保護体Ｈを沿設させて容易に位置合わせできることとなるため、一層取付作業性が向上することになる。
【００２４】
また、例えば、前記取付具Ｔの一端部に雨樋１の一側端部に掛止する掛止部９を設けると共に、他端部に雨樋１の他側端部に嵌合係止する嵌合部１０を設け、この掛止部９を雨樋１の一側端部に掛止してから前記嵌合部１０を雨樋１の他側端部に圧着することで、取付具Ｔが雨樋１の上部開口部１Ａに架設状態で取り付けられるように構成すれば、雨樋１に取付具Ｔを極めて容易に取り付けできるため、一層取付作業性が向上することになる。
【００２５】
また、例えば、前記取付具Ｔは、前記雨樋１の上部開口部１Ａに取り付けた際に雨樋１の長さ方向にスライド移動し得るように構成すれば、例えば、所定長さの保護体Ｈを多数並設させて雨樋１の全部を覆う構成とした場合に、前記締付手段３により保護体Ｈを締付固定した状態で雨樋１に対して取付具Ｔをスライド移動させて隣接する保護体Ｈ同士を隙間なく並設固定することが容易にでき、一層実用的となる。
【００２６】
また、例えば、前記締付手段３は螺着締付手段３を採用し、前記保護体Ｈを前記取付具Ｔに螺着締付固定する構成とすれば、前記作用・効果を確実に発揮する締付手段３を簡易構成により容易に設計実現可能となり、一層実用的となる。
【００２７】
また、例えば、前記保護体Ｈに通水穴２Ａが多数散在する前記通水構造２を設け、この通水穴２Ａを介して前記螺着締付手段３で保護体Ｈを前記取付具Ｔに螺着締付固定する構成とすれば、締付手段３による保護体Ｈの取付具Ｔへの固定構造を簡易に設計実現可能となり、一層実用的となる。
【００２８】
【実施例】
本発明の具体的な実施例について図面に基づいて説明する。
【００２９】
本実施例は、雨樋１の上部開口部１Ａに取り付けられる取付具Ｔと、この取付具Ｔに固定されて雨樋１の上部開口部１Ａを覆うように設けられる通水構造２を備えた保護体Ｈとから成り、前記取付具Ｔは、前記保護体Ｈを締付固定する締付手段３を設けると共に、この取付具Ｔを雨樋１の上部開口部１Ａに取付固定した際に，少なくともこの締付手段３が雨樋１内に配設される雨樋受具４よりも上方側へ配設する構成とし、この雨樋受具４よりも上方に配設する締付手段３を介して保護体Ｈを取付具Ｔに締付固定すると、雨樋受具４に干渉しない雨樋１の上部開口部１Ａ位置にこの保護体Ｈが固定されるように構成している。
【００３０】
本実施例では、断面形状が略コ字形を呈し、一側（図面左側）の立ち上がり部が他側の立ち上がり部よりも背高くなるように形成してある既存の雨樋１に対して取り付けできるように構成している。
【００３１】
本実施例の取付具Ｔは、前記保護体Ｈを載置し得る平坦部５を設け、取付具Ｔを前記雨樋１の上部開口部１Ａに取付固定した際に少なくともこの平坦部５が雨樋１内に配設される雨樋受具４よりも上方側へ配設する構成とし、この平坦部５に前記締付手段３を設けている。
【００３２】
具体的には、取付具Ｔは、金属製の帯板を折曲形成して成るもので、平坦部５と垂下部６とが連設する略Ｌ字状に形成し、この平坦部５と垂下部６とに後述する保護体Ｈを沿設し得る構成としている。
【００３３】
また、この取付具Ｔは、一端部に雨樋１の一側端部に掛止する掛止部９を設けると共に、他端部に雨樋１の他側端部に嵌合係止する嵌合部１０を設けている。
【００３４】
具体的には、図１に示すように取付具Ｔを構成する帯板の一端側、即ち前記平坦部５の一端部を直角上方へ折曲してこの折曲部を前記掛止部９とし、この掛止部９を雨樋１の一側（図面左側）の背高い立ち上がり部の上端の折り返し部１Ｂ内に掛止し得るように構成している。
【００３５】
また、平坦部５の他端側に連設する前記垂下部６の下端を略コ字状に折曲形成すると共に、このコ字状部１０Ａと対向状態にコ字形の弾性板１０Ｂを設け、このコ字状部１０Ａと弾性板１０Ｂとで嵌合部１０を構成し、この被嵌部１０をコ字状部が雨樋１の他側（図面右側）の立ち上がり部に上方から嵌合すると、立ち上がり部上端の凸部１Ｃにコ字状部が外側から被嵌合係止し、同時に弾性板１０Ｂが立ち上がり部の上部内面に近接状態となって、前記コ字状部１０Ａの被嵌合状態が維持される構成としている。
【００３６】
従って、本実施例は、図２に示すように掛止部９を雨樋１の一側端部に掛止してから、取付具Ｔの弾性（金属製帯板の弾性）に抗して嵌合部１０を雨樋１の他側端部に被嵌合係止することで、取付具Ｔを雨樋１の上部開口部１Ａに簡単に架設状態で取り付けできるように構成している。
【００３７】
また、このように取付具Ｔは雨樋１に対して完全に固定するのではなく、掛止部９を掛止し、嵌合部１０を取付具Ｔの弾性によって嵌着する構成のため、この取付具Ｔは、前記雨樋１の上部開口部１Ａに取り付けた際に雨樋１の長さ方向にスライド移動し得ることとなる。従って、この取付具Ｔは、保護体Ｈを取り付けた状態で雨樋１に沿ってスライド移動することができる構成としている。
【００３８】
また、本実施例の取付具Ｔは、図５，図６に示すように雨樋１の上部開口部１Ａに取り付けた際に、平坦部５が雨樋１に対して略水平状態となるように垂下部６の長さを設定構成している。
【００３９】
従って、垂下部６によって平坦部５の高さが確保され、これにより取付具Ｔを雨樋１の上部開口部１Ａに取り付けると、雨樋１に取り付けられた雨樋受具４よりも上方へ位置することとなるように構成している。
【００４０】
また、本実施例では、図６に示したような蝶螺子４Ａの締付・解除によるスライド構造を備えた雨樋受具４を使用した場合であっても、この蝶螺子４Ａよりも平坦部５が上方に位置して雨樋受具４に取付具Ｔが干渉しないように垂下部６の垂下長を設定構成している。
【００４１】
本実施例の保護体Ｈは、図１に示すように前記雨樋１の上部開口部１Ａを閉塞し得る天板部７の一側縁部に垂下片部８を連設して略断面Ｌ字形に構成している。
【００４２】
従って、前記取付具Ｔの平坦部５に前記保護体Ｈの天板部７を載置させ、且つ垂下部６に垂下片部８を沿設させて、取付具Ｔに対する保護体Ｈの位置合わせを容易に行えるように構成している。
【００４３】
また、保護体Ｈについて更に説明すると、図１，図３，図４に示すように長方形状を呈する方形枠体の長手方向の一側縁を垂下折曲して断面略Ｌ字形に形成し、この方形枠体内の開口部分全部に金網１１（ラス網）を設けることで通水穴２Ａが多数散在する通水構造２を備えた天板部７を構成し、一側の垂下折曲部を前記垂下片部８としている。
【００４４】
また、金網１１は、この金網１１上に雪が載った際にこの雪を細分化して雨樋１内に落下させ得ると共に、屋根から自重により軒先に滑り移動した雪を多量に雨樋１内に入り込ませることがない網目の大きさであって、且つ落ち葉などのゴミが雨樋１の上部開口部１Ａからこの雨樋１内に落下して溜まることを阻止し得る網目の大きさのものを採用している。
【００４５】
尚、金網１１でなく、例えば通水穴２Ａを多数散在形成したパンチング板を方形枠体の開口部分に設けることで通水構造２を備えた天板部７を構成しても良い。また、方形状のパンチング板の一側縁部を略直角に折曲して保護体Ｈを構成しても良い。
【００４６】
また、この垂下片部８は、保護体Ｈを、雨樋１に取り付けた取付具Ｔに固定した際に雨樋受具４に干渉しない長さに設定し、これにより前記したように取付具Ｔを雨樋１に沿ってスライドさせた際には、垂下片部８が雨樋受具４に干渉せずにスムーズにスライドし得るように構成している。
【００４７】
また、ここで締付手段３について説明すると、螺着締付手段３を採用し、前記保護体Ｈを前記取付具Ｔに螺着締付固定する構成としている。
【００４８】
具体的には、取付具Ｔの平坦部５の中程に螺子杆３Ａを立設状態に固定し、この螺子杆３Ａにナット３Ｂを螺着した構成としている。
【００４９】
この締付手段３による締付固定方法について説明すると、平坦部５に保護体Ｈを載置すると共に、螺子杆３Ａを網目（通水穴２Ａ）から保護体Ｈ上方へ突出させ、この網目から突出する螺子杆３Ａに網目よりも径大な座金３Ｃを装着し、この座金３Ｃの上からナット３Ｂを螺着することで取付具Ｔに対し保護体Ｈを締付固定する構成としている。
【００５０】
従って、このような簡単な締付手段３を採用したため、この構成は簡易に設計実現可能であると共に、締付操作も簡易に行えることとなる。
【００５１】
次に、本実施例の雨樋保護具の使用方法（雨樋１への取付方法）として、既設の雨樋１に対して後付する方法を説明する。尚、詳しく図示していないが、本実施例では、所定長さの保護体Ｈを多数並べて雨樋１の上部開口部の全部を覆うようにしている。
【００５２】
先ず、取付具Ｔを雨樋１の上部開口部１Ａに適当数取り付ける（例えば、一枚の保護体Ｈに対しては取付具Ｔを二つ使用するなど、保護体Ｈの長さに応じて取付具Ｔの使用数は適宜変更すると良い。）。
【００５３】
また、この際，図４，図６に示すように締付手段３を有する平坦部５が雨樋１内に配設（既設）されている雨樋受具４よりも上方側へ配設することになる。
【００５４】
次いで、単に、締付手段３により保護体Ｈを取付具Ｔに締付固定すると、この締付手段３は雨樋受具４よりも上方に配設しているため、雨樋受具４に干渉しない雨樋１の上部開口部１Ａ位置にこの保護体Ｈが固定されることになる。
【００５５】
従って、単に、雨樋受具４から雨樋１を取り外したりすることなく、雨樋１に取付具Ｔを取り付けた上、この取付具Ｔに保護体Ｈを締付固定するだけの簡単な作業で雨樋１に対して本雨樋保護具を取り付け（後付）できる。
【００５６】
また、並設する保護体Ｈ同士は、取り付けた際に多少隙間が空いていても、取付具Ｔが雨樋１に対してスライド自在に取り付けられているため、この取付具Ｔ毎保護体Ｈをスライド移動させて隣接する保護体Ｈ同士を隙間なく並設させることも容易に行われる。
【００５７】
尚、本発明は、本実施例に限られるものではなく、各構成要件の具体的構成は適宜設計し得るものである。
【００５８】
【発明の効果】
本発明は上述のように構成したから、単に、雨樋に取付具を取り付けた上、この取付具に保護体を締付固定するだけの簡単な作業で雨樋に対して本発明品を取り付けでき、しかも雨樋に取り付けられている雨樋受具と、取付具及び保護体とから成る本発明品とは、相互に干渉することがないため無理なく取り付けできることとなり、これにより既に雨樋受具によって屋根軒先に取り付けられている雨樋に対して、本発明品を簡単に後付することも可能となるなど極めて実用性に秀れた画期的な雨樋保護具となる。
【００５９】
また、請求項２記載の発明においては、取付具の平坦部上に簡単に保護体を載置して締付手段により締付固定することができるため、一層取付作業性が向上することになる極めて実用性に秀れた構成の雨樋保護具となる。
【００６０】
また、請求項３記載の発明においては、雨樋に取り付けた取付具に対し保護体を沿設させて容易に位置合わせできることとなるため、一層取付作業性が向上することになる極めて実用性に秀れた構成の雨樋保護具となる。
【００６１】
また、請求項４記載の発明においては、雨樋に取付具を極めて容易に取り付けできるため、一層取付作業性が向上することになる極めて実用性に秀れた構成の雨樋保護具となる。
【００６２】
また、請求項５記載の発明においては、例えば、所定長さの保護体を多数並設させて雨樋の全部を覆う構成とした場合に、前記締付手段により保護体を締付固定した状態で雨樋に対して取付具をスライド移動させて隣接する保護体同士を簡単に隙間なく並設固定することができ、一層実用性に秀れた構成の雨樋保護具となる。
【００６３】
また、請求項６記載の発明においては、前記作用・効果を確実に発揮する締付手段を簡易構成により容易に設計実現可能となる一層実用性に秀れた雨樋保護具となる。
【００６４】
また、請求項７記載の発明においては、締付手段による保護体の取付具への固定構造を簡易に設計実現可能となる一層実用性に秀れた雨樋保護具となる。
【図面の簡単な説明】
【図１】本実施例の取付具と保護体との分解斜視図である。
【図２】本実施例の取付具の雨樋への取付構造を示す説明斜視図である。
【図３】本実施例の使用状態を示す斜視図である。
【図４】図３の部分拡大説明図である。
【図５】本実施例の使用状態における側断面図である。
【図６】本実施例の使用状態における取付具及び保護体と、雨樋受具との位置関係を示す説明側断面図である。
【符号の説明】
１　雨樋
１Ａ　上部開口部
２　通水構造
２Ａ　通水穴
３　締付手段
４　雨樋受具
５　平坦部
６　垂下部
７　天板部
８　垂下片部
９　掛止部
１０　嵌合部
Ｔ　取付具
Ｈ　保護具
【図１】
2004107915.tif 000003
【図２】
2004107915.tif 000004
【図３】
2004107915.tif 000005
【図４】
2004107915.tif 000006
【図５】
2004107915.tif 000007
【図６】
2004107915.tif 000008